(57)【要約】【課題】充電電池として蓄えられる電気が限られているので、充電電池は電気がなくなった後、電気が再び蓄電するには充電器が必要。充電器がなくなったら、充電電池は電気を蓄える能力がなくなる。また、ユーザーが外出時に、別途で充電器を手に持つことになり、とても不便である。【解決手段】本発明は、充電可能電池に関するものである。充電可能電池は充電可能電池の本体、コネクタが含んでいる。充電可能電池の本体には凹みが設けられ、その中に回路基板とセルがあり、回路基板とセルが電気的につながっている。そのコネクタは凹みの中に折り畳み可能である。コネクタは充電可能電池の本体と接続し、凹みに折り畳み可能であり、充電可能電池の本体はコネクタにより外部電源とつながり蓄電することができる。これで充電可能電池の利便性を高める。【選択図】図３
2016213193.tif 000002
【特許請求の範囲】
【請求項１】
充電可能電池には下記内容が含まれる。充電可能電池の本体に凹みが設けられ、回路基板とセルがあり、回路基板とセルが電気的につながっている。それとコネクタがあり、充電可能電池の本体と接続し、回路基板と電気的につながっている。またコネクタは凹みに折り畳み可能である。
【請求項２】
請求項１で述べた充電可能電池の中、充電可能電池の本体にはスリーブとカバーが含んでいる。回路基板とセルはスリーブの中に設置され、カバーによりスリーブを塞ぎ、そして蓋として回路基板とセルを覆う。凹みはカバーの上に開設される。
【請求項３】
請求項２で述べた充電可能電池の中、凹みに対してカバーから内壁と座部が形成し、内壁には第一ピボット穴が設けられ、座部には複数貫通穴があり、コネクタは複数の導電端子を持ち、そして第二ピボット穴とオープニングが設けられる。またカバーにはピボットシャフトと複数の導電性プレートがあり、ピボットシャフトは第一ピボット穴と第二ピボット穴と接続する。各導電性プレートは複数貫通穴に固定し回路基板と電気的につながっている。各導電性プレートの端部は各導電端子と対応し、電気的に各導電端子とつながっている。
【請求項４】
請求項２で述べた充電可能電池の中、充電可能電池の本体は電極ギャップが含んでいる。凹みに対してカバーから座部が形成し、座部に開孔があり、電極ギャップが開孔に嵌められ、回路基板と電気的につながっている。コネクタには電極ギャップが突出できるようオープニングが設けられている。
【請求項５】
請求項２で述べた充電可能電池の中、充電可能電池の本体はシーランドが含んでいる。シーランドは回路基板とセルの間に充填し、スリーブと一緒になりセルを密封する。
【請求項６】
請求項１で述べた充電可能電池の中、充電可能電池の本体はスリーブ、カバーリング、極性プレート、セルフレームが含んでいる。セルがセルフレームに設置され、セルフレームに固定されている。回路基板、セル、セルフレームはスリーブに設置されている。カバーリングはセルフレームと相互に組立て、回路基板とセルをカバーする。カバーリングはオープンホールがあり、極性プレートとコネクタは分けてカバーリングとセルフレームの間に接続され、凹みはオープンホールとセルの間に形成している。
【請求項７】
請求項６で述べた充電可能電池の中、カバーリングとセルフレームのほうに向けて対になる第一カーブブロックがあり、反対側に向けて対になる第二カーブブロックがある。極性プレートの片側に第一シャフトがあり、コネクタの片側に第二シャフトがある。第一シャフトは第一カーブブロックと接続し、第二シャフトは第二カーブブロックと接続する。
【請求項８】
請求項７で述べた充電可能電池の中、セルの表面に近いカバーリングにスロットがあり、極性プレートの第一シャフトと離れてセルのほうに向けるところに留め金具があり、留め金具はスロットとかみ合わせることができる。
【請求項９】
請求項６で述べた充電可能電池の中、コネクタと回路基板が並べて極性プレートとセルの間に設置されている。
【請求項１０】
請求項１で述べた充電可能電池の中、充電可能電池の本体には電池カバー、カバーリング、セルフレームが含んでいる。セルはセルフレームに設置され、セルフレームに固定されている。電池カバーはセルフレームと組み合わせ可能。回路基板、セルは電池カバーとセルフレームの間に設置されている。カバーリングはセルフレームと相互に組立て、回路基板とセルをカバーする。カバーリングはオープンホールがあり、オープンホールからセルの方向に向けて延長ボードがあり、コネクタは延長ボードに接続する。凹みはオープンホールとセルの間に形成している。
【請求項１１】
請求項１０で述べた充電可能電池の中、コネクタは相互に合併するか、もしくは分離するかの左コネクタと右コネクタがある。左コネクタの片側に棒軸があり、右コネクタの片側に旋回軸があり、延長ボードにはピボットホールが設けられ、棒軸はスリーブ管とピボットホールと接続する。
【請求項１２】
請求項１で述べた充電可能電池の中、コネクタはＵＳＢかＨＤＭＩなどのコネクタであってもよい。
【発明の詳細な説明】
【技術分野】
【０００１】本発明は、電池の構造について、充電可能電池に関するものである。
【背景技術】
【０００２】現代の人々は携帯電話もしくはタブレットなどの携帯型電子製品に依存し、その携帯型電子製品を長く使えるよう、充電電池を購入し、充電電池で携帯型電子製品と繋ぐことで、充電電池に蓄えた電気で携帯型電子製品に充電させる。
【発明の概要】
【発明が解決しようとする課題】
【０００３】充電電池として蓄えられる電気が限られているので、充電電池は電気がなくなった後、電気が再び蓄電するのに充電器が必要になる。充電器がなくなったら、充電電池は電気を蓄える能力がなくなる。また、ユーザーが外出時に、別途で充電器を手に持つことになり、とても不便である。【０００４】そこで、本発明者は、背景技術に対して、研究及び理論を用いて、上記の問題を解決しようとする。それは本発明者の開発の目標である。
【課題を解決するための手段】
【０００５】本発明は充電可能電池を提供し、その中で、充電可能電池の本体に凹みがあり、内部には回路基板、セルがあり、回路基板とセルが接続している。それにコネクタ、充電可能電池の本体と接続し、回路基板との間に電気的につながっている。そのコネクタは凹みの中に折り畳み可能である
【発明の効果】
【０００６】充電可能電池を提供し、凹みに折り畳み可能な充電可能電池の本体と接続したコネクタで、充電可能電池はコネクタを介して蓄電することができる。これで充電可能電池の利便性を高める。
【図面の簡単な説明】
【０００７】
【図１】本発明の充電可能電池の第一実施例を示す立体分解図
【図２】本発明の充電可能電池の第一実施例を示す別の立体分解図
【図３】本発明の充電可能電池の第一実施例を示す立体組立図
【図４】本発明の充電可能電池の第一実施例を示す断面図
【図５】本発明の充電可能電池の第一実施例を示す別の立体断面図
【図６】本発明の充電可能電池の第一実施例を示す使用状態図
【図７】本発明の充電可能電池の第二実施例を示す立体分解図
【図８】本発明の充電可能電池の第二実施例を示す立体組立図
【図９】本発明の充電可能電池の第三実施例を示す立体分解図
【図１０】本発明の充電可能電池の第三実施例を示す立体組立図
【図１１】本発明の充電可能電池の第四実施例を示す立体分解図
【図１２】本発明の充電可能電池の第四実施例を示す立体組立図
【発明を実施するための形態】
【０００８】本発明の説明及び技術内容について、図面と合わせて説明する。添付した図面は説明するためであり、本発明を制限するためではない。
【実施例】
【０００９】図面１〜８の通りで、本発明の充電可能電池１０の第一、二実施例である。この充電可能電池は充電電池本体１とコネクタ２を含めている。【０００９】図面１〜６の通りで、充電可能電池の本体１には凹み１１が設置され、内部には回路基板１２とセル１３があり、回路基板１２とセル１３が電気的につながっている。【００１０】詳しく説明すると、充電可能電池の本体１にはスリーブ１４とカバー１５があり、回路基板１２とセル１３がスリーブ１４の中に設置され、カバー１５によりスリーブ１４を塞ぎ、そして蓋として回路基板１２とセル１３を覆う。凹み１１はカバー１５の上に開設され、凹み１１に対してカバー１５から内壁１５１と座部１５２が形成し、内壁１５１には第一ピボット穴１５３が設けあり、座部１５２には複数貫通穴１５４と開孔１５５がある。【００１１】またカバー１５にはピボットシャフト１５６と複数の導電性プレート１５７があり、各導電性プレート１５７は各貫通穴１５４に固定し、電気的に回路基板１２につながっている。【００１２】図面１〜６で、コネクタ２は充電可能電池の本体１と接続し、回路基板１２と電気的につながっている。コネクタ２は凹み１１に折り畳み可能である。またコネクタ２はＵＳＢ、ＨＤＭＩなどのコネクタであってもよい。【００１３】詳しく説明すると、コネクタ２は複数の導電端子２１を持ち、そして第二ピボット穴２２とオープニング２３が設けられる。ピボットシャフト１５６は第一ピボット穴１５３と第二ピボット穴２２と接続する。各導電性プレート１５７の端部は各導電端子２１と対応し、電気的に各導電端子２１とつながっている。【００１４】図面１〜図面６の示した通りで、充電可能電池の本体１は電極ギャップ１６を含めている。電極ギャップ１６は開孔１５５に固定され、電気的に回路基板１２とつながっている。コネクタ２を凹み１１に折り畳んだ際、電極ギャップ１６が通せてオープニング２３を突出することになる。【００１５】図面４と図面５の通りで、充電可能電池の本体１はシーランド１６１を含めている。シーランド１６１は回路基板１２とセル１３の間に充填し、スリーブ１４と一緒になりセル１３を密封する。【００１６】また、図面１〜図面６の通りで、本発明は充電可能電池１０の第一実施例であり、図面７〜図面８の示した通りで、本発明の充電可能電池１０の第二実施例である。第二実施例は第一実施例と大体同様であるが、第一実施例と第二実施例の異なるところは、第一実施例の充電可能電池の本体は単４電池で、第二実施例の充電可能電池の本体は単３電池である。それで、充電可能電池の本体１は単１から単４、９Ｖ電池、ニッケル水素電池であっても良く、本実施例の形態に限定しない。【００１７】図面１〜図面３の通りで、本発明の充電可能電池１０の組立では充電可能電池の本体１に凹み１１が設けられ、内部には回路基板１２とセル１３があり、回路基板１２とセル１３が電気的につながっている。コネクタ２は充電可能電池の本体１と接続し、回路基板１２と電気的につながっている。コネクタ２は凹み１１の中に折り畳み可能、そのため、凹み１１に折り畳めるコネクタ２は充電可能電池の本体１と接続し、充電可能電池の本体１はコネクタ２経由で外部電源とつながり、蓄電することができる。これで充電電池１０の利便性を高める。【００１８】図面４〜図面６の示した通りで、本発明の充電可能電池１０の実施状態を示している。凹み１１に折り畳めるコネクタ２は充電可能電池の本体１と接続している。図面４の通りで、コネクタ２を凹み１１に折り畳んだ際、充電可能電池１０は外観が一般の電池と同様になり、充電電池１０が携帯型電子製品に充電させることができる。図面５〜図面６の通りで、コネクタ２が凹み１１を突出した際、コネクタ２は導電性プレート１５７経由で回路基板１２とつながり、充電可能電池の本体１はコネクタ２で外部電源とつながり蓄電することができる。これで充電可能電池１０の利便性を高める。【００１９】図面９〜図面１０の通りで、本発明の充電可能電池１０の第三実施例である。第三実施例と第一実施例と大体同様であるが、第三実施例と第一実施例の異なるところは、コネクタ２と充電可能電池の本体１の接続構造が違うところである。【００２０】詳しく説明すると、充電可能電池の本体１にスリーブ１４、カバーリング１７、極性プレート１８、セルフレーム１９を含めている。セル１３はセルフレーム１９に設置され、セルフレーム１９に固定されている。回路基板１２、セル１３とセルフレーム１９はスリーブ１４に設置されている。カバーリング１７はセルフレーム１９と相互に組立て、回路基板１２とセル１３をカバーする。カバーリング１７はオープンホール１７１があり、極性プレート１８とコネクタ２は分けてカバーリング１７とセルフレーム１９の間に接続され、凹み１１はオープンホール１７１とセル１３の間に形成している。【００２１】また、カバーリング１７とセルフレーム１９のほうに向けて対になる第一カーブブロック１９１があり、反対側に向けて対になる第二カーブブロック１９２がある。極性プレート１８の片側に第一シャフト１８１があり、コネクタ２の片側に第二シャフト２４がある。第一シャフト１８１は第一カーブブロック１９１と接続し、第二シャフト２４は第二カーブブロック１９２と接続する。極性プレート１８はカバーリング１７とセルフレーム１９の片側に接続し、コネクタ２はカバーリング１７とセルフレーム１９の反対側に接続する。コネクタ２と回路基板１２は極性プレート１８とセル１３の間に設置される。【００２２】また、セル１３の表面に近いカバーリング１７にスロット１７２があり、極性プレート１８の第一シャフト１８１と離れてセル１３のほうに向けるところに留め金具１８２があり、留め金具１８２はスロット１７２とかみ合わせ可能である。【００２３】図面１０の通りで、留め金具１８２とスロット１７２を離した際、極性プレート１８はオープンホール１７１が開くことになりコネクタ２が現れ、コネクタ２は外側へ引っ張り、凹み１１を突出させることが可能。充電可能電池の本体１はコネクタ２により外部電源とつながり、蓄電することができる。これで充電可能電池１０の利便性を高める。【００２４】また、充電可能電池の本体１は単１から単４、９Ｖ電池、ニッケル水素電池であっても良く、本実施例の形態に限定しない。【００２５】図面１１と図面１２の通りで、本発明の充電可能電池１０の第四実施例である。第四実施例と第一実施例は大体同様であるが、第四実施例と第一実施例の異なるところは、コネクタ２と充電可能電池の本体１の接続構造が違うところである。【００２６】詳しく説明すると、充電可能電池の本体１には電池カバー１４１、カバーリング１７、セルフレーム１９を含めている。セル１３はセルフレーム１９に設置され、セルフレーム１９に固定されている。電池カバー１４１はセルフレーム１９と組み合わせ可能。セル１３はセルフレーム１９に設置され、セルフレーム１９に固定されている。回路基板１２、セル１３は電池カバー１４１とセルフレーム１９の間に設置されている。カバーリング１７はセルフレーム１９と相互に組立て、回路基板１２とセル１３をカバーする。カバーリング１７はオープンホール１７１があり、オープンホール１７からセル１３の方向に向けて延長ボード１７３があり、コネクタ２は延長ボード１７３に接続する。凹み１１はオープンホール１７１とセル１３の間に形成している。【００２７】また、コネクタ２は相互に合併するかもしくは分離する左コネクタ２５と右コネクタ２６がある。左コネクタ２５の片側に棒軸２５１があり、右コネクタ２６の片側に旋回軸２６１があり、延長ボード１７３にはピボットホール１７４が設けられ、棒軸２５１はスリーブ管２６１とピボットホール１７４と接続する。左コネクタ２５と右コネクタ２６分けて延長ボード１７３に接続する。【００２８】図面１２の通りで、オープンホール１７１で左コネクタ２５と右コネクタ２６を外側へ引っ張り、左コネクタ２５と右コネクタ２６が合併になりコネクタ２になる。コネクタ２が凹み１１を突出することにより、充電可能電池の本体１とコネクタ２経由し外部電源とつながり蓄電することができる。これで充電可能電池１０の利便性を高める。【００２９】本発明の充電可能電池と同類の製品によって開示されていなく、また公的に使用される例が見当たらない。産業上の利用可能性、新規性及び進歩性を所持している。本発明は、特許性の準拠をしているので、特許法に基づき出願し、発明者の権利が保護するよう、特許の許可を下さい。
【符号の説明】
【００３０】１０    充電可能電池
１      充電可能電池の本体
１１    凹み
１２    回路基板
１３    セル
１４    スリーブ
１４１  電池カバー
１５    カバー
１５１  内壁
１５２  座部
１５３  第一ピボット穴
１５４  貫通穴
１５５  開孔
１５６  ピボットシャフト
１５７  導電性プレート
１６    電極ギャップ
１６１  シーランド
１７    カバーリング
１７１  オープンリング
１７２  スロット
１７３  延長ボード
１７４  ピボットホール
１８    極性プレート
１８１  第一シャフト
１８２  留め金具
１９    セルフレーム
１９１  第一カーブブロック
１９２  第二カーブブロック
２      コネクタ
２１    導電端子
２２    第二ピボット穴
２３    オープニング
２４    第二シャフト
２５    左コネクタ
２５１  棒軸
２６    右コネクタ
２６１  スリーブ管
【図１】
2016213193.tif 000003
【図２】
2016213193.tif 000004
【図３】
2016213193.tif 000005
【図４】
2016213193.tif 000006
【図５】
2016213193.tif 000007
【図６】
2016213193.tif 000008
【図７】
2016213193.tif 000009
【図８】
2016213193.tif 000010
【図９】
2016213193.tif 000011
【図１０】
2016213193.tif 000012
【図１１】
2016213193.tif 000013
【図１２】
2016213193.tif 000014